(57)【要約】      （修正有）【課題】卓上用および携帯用として使用可能であるとともに、卓上において使用する場合には安定性に優れており、さらに宣伝広告機能においても優れた機能を発揮し得るといった卓上型カレンダーを提供する。【解決手段】本考案に係る卓上型カレンダー１は、折り畳み可能な支持台と、支持台に取り付けられるとともに広告部を有する留め具とからなるスタンド部２と、スタンド部２に開いた状態で立てかけられるブック型カレンダー部３を備える。【選択図】図４
0003180049.tif 000002
【実用新案登録請求の範囲】
【請求項１】
少なくとも日付欄及び曜日欄等の暦情報を有する複数のカレンダー片を備えたブック型カレンダー部と、
このブック型カレンダー部を傾斜状に立てかけるためのスタンド部と、を備えており、
前記スタンド部は、
折り畳み可能な材質からなり、かつ、折り畳む前の状態において、折り目である折り線部を対称軸とする線対称な山形状に形成されるとともに、山の傾斜である傾斜部と、前記傾斜部と傾斜角を変えて延設する延設部と、前記傾斜部と前記延設部との間あるいは前記延設部の上部に設けられた溝あるいは切り込みからなる第１嵌合部とを有する支持台と、
前記支持台の第１嵌合部と嵌合させるための切り込みからなる第２嵌合部と、宣伝広告を表示するための広告部と、を備えるとともに、前記支持台を所定の折り畳み角度で保持するように前記支持台に取り付けられる留め具と、を備えていること、
を特徴とする卓上型カレンダー。
【請求項２】
前記留め具は細長状の板材であるとともに、前記第２嵌合部は複数箇所設けられており、前記第２嵌合部の選択により前記支持台の折り畳み角度が調整可能に構成されていることを特徴とする請求項１に記載の卓上型カレンダー。
【請求項３】
前記第１嵌合部は複数個設けられており、前記第１嵌合部の選択により前記支持台の折り畳み角度が調整可能に構成されていることを特徴とする請求項１あるいは２に記載の卓上型カレンダー。
【請求項４】
前記ブック型カレンダー部の各カレンダー片はリング状の留め具により綴じられていることを特徴とする請求項１ないし３いずれか１項に記載の卓上型カレンダー。
【請求項５】
前記カレンダー片には書き込み可能な記入欄が設けられていることを特徴とする請求項１ないし４いずれか１項に記載の卓上型カレンダー。
【考案の詳細な説明】
【技術分野】
【０００１】
本考案は、卓上型カレンダーに関するもので、さらに詳しくは、卓上用、および携帯用としても使用可能な卓上型カレンダーに関する。
【背景技術】
【０００２】
従来から卓上型カレンダーが販促用に配布されている。このような卓上型カレンダーとして例えば特許文献１（図７）に示すように、ボール紙を３つ折りにした三角筒体を横向きにした台座（１）の前面に、１カ月単位の月めくり片（２）の上端部をリング状の連結具（３）により連結したもので、１カ月経過毎に後方にめくって後面の新たな月めくり片（２）が表に出るようにしたものがある（以下この卓上型カレンダーを「第１の卓上型カレンダー」と言う）。また、透明の枠（４）の後方の支持部材（５）を切り起こして写真立てのように立てかけ、前記透明枠（４）に収納されている月めくり片（２）を１カ月ずつ入れ替えるようにしたものもある（以下この卓上型カレンダーを「第２の卓上型カレンダー」と言う）。
【０００３】
さらに、上記第１及び第２の卓上型カレンダーは装飾性及び高級感が欠けるといった問題点があり、これらの問題点を解決すべく開発された特許文献１に記載のような卓上型カレンダーもある。この特許文献１の卓上型カレンダー（８）は、ブック型カレンダー（６）とこのブック型カレンダー（６）を開いて立てかけるためのスタンド（７）とからなる。このような構成によれば、デスクワーク時にはブック型カレンダー（６）を卓上に開いた状態で置いておけるため一目でスケジュール確認ができ、外出時にはブック型カレンダー（６）をスタンド（７）から外して持ち歩くこともできるので携帯性にも富んで使い勝手がよい。
【先行技術文献】
【特許文献】
【０００４】
【特許文献１】実登３０６５７４９号公報
【考案の概要】
【考案が解決しようとする課題】
【０００５】
しかし、特許文献１に開示された卓上型カレンダー（８）においては、折れ目（１２）で折り、その後、所定の角度（実施例では９０度）に開いて卓上に立つような状態にしたものがスタンド（７）であり、スタンド（７）の折り畳み角度が不安定であり強度に欠けるといった問題もある。
【０００６】
また、卓上型カレンダーを販促用に使用する場合には、社名・ロゴ・ＰＲ文字などを入れて（名入れ）配布するのが普通であり、通常この名入れは、カレンダー使用時において見える位置においてなされる。したがって、第１の卓上型カレンダーにおける名入れは、台座（１）の正面側あるいは月めくり片（２）になされ、第２の卓上型カレンダーでは、透明の枠（４）あるいは月めくり片（２）になされるのが普通である。同様に、特許文献１の卓上型カレンダーにおいても名入れする箇所は、月めくり片に相当する日付欄（１７ａ）あるいはイラスト欄（１７ｂ）あるいはスタンド（７）であろうが、スタンド（７）に名入れをしても使用時の正面視ではスタンド（７）の大部分がブック型のカレンダー（６）に隠されてしまうので、スタンド（７）の名入れは宣伝広告機能として効果的とは言えない。特許文献１の卓上型カレンダーはこのような構成であることから、ブック型のカレンダー（６）を携帯したとしても、社名・ロゴ・ＰＲ文字などの名入れ部分が使用時に露出してしまうので、結局使用しなくなるおそれがあり宣伝広告機能が低くなってしまうという問題も生じ得る（上記においてカッコ内の符号は特許文献１に使用されている符号である）。
【０００７】
本考案は、このような問題を解決するためになされたものであり、その目的とするところは、卓上用および携帯用として使用可能であるとともに、卓上において使用する場合には安定性に優れており、さらに宣伝広告機能においても優れた機能を発揮し得る卓上型カレンダーを提供することにある。
【課題を解決するための手段】
【０００８】
前記の目的を達成するための手段として、本考案に係る卓上型カレンダーは、少なくとも日付欄及び曜日欄等の暦情報を有する複数のカレンダー片を備えたブック型カレンダー部と、このブック型カレンダー部を傾斜状に立てかけるためのスタンド部と、を備えており、前記スタンド部は、折り畳み可能な材質からなり、かつ、折り畳む前の状態において、折り目である折り線部を対称軸とする線対称な山形状に形成されるとともに、山の傾斜である傾斜部と、前記傾斜部と傾斜角を変えて延設する延設部と、前記傾斜部と前記延設部との間あるいは前記延設部の上部に設けられた溝あるいは切り込みからなる第１嵌合部とを有する支持台と、前記支持台の第１嵌合部と嵌合させるための切り込みからなる第２嵌合部と、宣伝広告を表示するための広告部と、を備えるとともに、前記支持台を所定の折り畳み角度で保持するように前記支持台に取り付けられる留め具と、を備えていることを特徴とする。
【０００９】
前記留め具は細長状の板材であるとともに、前記第２嵌合部は複数箇所設けられており、前記第２嵌合部の選択により前記支持台の折り畳み角度が調整可能に構成されていることを特徴とする。
【００１０】
前記第１嵌合部は複数個設けられており、前記第１嵌合部の選択により前記支持台の折り畳み角度が調整可能に構成されていてもよい。
【００１１】
前記ブック型カレンダー部の各カレンダー片はリング状の留め具により綴じられているように構成してもよい。
【００１２】
前記カレンダー片には書き込み可能な記入欄が設けられているように構成してもよい。
【考案の効果】
【００１３】
本考案に係る卓上型カレンダーによれば、少なくとも日付欄及び曜日欄等の暦情報を有する複数のカレンダー片を備えたブック型カレンダー部と、このブック型カレンダー部を傾斜状に立てかけるためのスタンド部と、を備えており、前記スタンド部は、折り畳み可能な材質からなり、かつ、折り畳む前の状態において、折り目である折り線部を対称軸とする線対称な山形状に形成されるとともに、山の傾斜である傾斜部と、前記傾斜部と傾斜角を変えて延設する延設部と、前記傾斜部と前記延設部との間あるいは前記延設部の上部に設けられた溝あるいは切り込みからなる第１嵌合部とを有する支持台と、前記支持台の第１嵌合部と嵌合させるための切り込みからなる第２嵌合部と、宣伝広告を表示するための広告部と、を備えるとともに、前記支持台を所定の折り畳み角度で保持するように前記支持台に取り付けられる留め具と、を備えて構成されている。これにより、卓上用および携帯用として使用可能であるとともに、卓上において使用する場合には安定性に優れており、さらに宣伝広告機能においても優れた機能を発揮し得るといった効果を奏する。
【図面の簡単な説明】
【００１４】
【図１】本考案に係る卓上型カレンダーのスタンド部の図であり、（ａ）は支持台の展開図、（ｂ）は留め具の平面図。
【図２】本考案に係る卓上型カレンダーのブック型カレンダー部の平面図。
【図３】本考案に係る卓上型カレンダーの組み立て方を示す斜視図であり、（ａ）は組み立てる前の状態を示す斜視図、（ｂ）は組み立てた状態を示す斜視図。
【図４】本考案に係る卓上型カレンダーの使用状態を示す斜視図。
【図５】本考案に係る第２の実施形態の卓上型カレンダーの使用状態を示す斜視図。
【図６】本考案に係る第３の実施形態の卓上型カレンダーにおける支持台の展開図。
【図７】本考案に係る第３の実施形態の卓上型カレンダーの組み立て方を示す斜視図であり、（ａ）は組み立てる前の状態を示す斜視図、（ｂ）は組み立てた状態を示す斜視図。
【考案を実施するための形態】
【００１５】
以下、本考案を実施するための形態について、図面を参照しながら説明する。
【００１６】
図１ないし図４に示すとおり、本考案に係る卓上型カレンダー１は、スタンド部２とブック型カレンダー部３からなり、組み立てられたスタンド部２にブック型カレンダー部３を斜めに立てかけて使用する。本実施形態においては、卓上カレンダー１を販売促進用として無償配布した場合（ノベルティに利用した場合）を例にとって説明する。以下、各構成について詳細に説明する。
【００１７】
図１にはスタンド部２が図示されており、スタンド部２は厚紙から形成され、支持台２１と留め具２２とからなる。同図（ａ）には支持台２１の展開図が示されており、支持台２１は、ブック型カレンダー部３の該当頁を開いた状態で支持する左頁支持片２１Ｌと右頁支持片２１Ｒとを有する。
【００１８】
左頁支持片２１Ｌは、ブック型カレンダー部３を斜めの状態で支持する傾斜部２１ａと、傾斜部２１ａと傾斜角を変えて延設する延設部２１ｃとを備え、傾斜部２１ａと延設部２１ｃとの間には留め具２２を嵌める切り込みである第１嵌合部２１ｂが形成されている。また、支持台２１は展開された状態で、全体が山形に形成されており、山の頂部から底辺に対する垂線である折り線部２１ｄを有し、支持台２１は、折り線部２１ｄにおいて折りたたみ可能に構成されている。
【００１９】
本実施形態においては、支持台２１の素材を厚紙としているが、折りたたむことが可能な材質であればその他の素材であってもよく、例えば、フィルム法合成紙やファイバー法合成紙等の樹脂系合成紙や、プラスチックシート等であってもよい。なお、右頁支持片２１Ｒは、折り線部２１ｄを対称軸として左頁支持片２１Ｌと線対称となるように構成されているので、右頁支持片２１Ｒの各構成についての説明は省略する。
【００２０】
また、図１（ｂ）には留め具２２の平面図が示されており、留め具２２は厚紙から形成されており、支持台２１の第１嵌合部２１ｂに嵌合するための切り込みである第２嵌合部２２ａと、社名やロゴ等の宣伝・広告を表示する部分である広告部２２ｂとからなる。本実施形態においては、第２嵌合部２２ａは左右各３カ所に形成されており、第１嵌合部２１ｂを第２嵌合部２２ａのどこに挿し込むか（選択）によって、支持台２１の折り畳み角度（開閉度）が変わる。このように構成したことにより、例えば、図１（ｂ）中、左右各
第２嵌合部２２ａにおいて、最も外側に第１嵌合部２１ｂを挿し込んだ場合には、支持台２１の開閉度が大きくなり、ブック型カレンダー部３の幅方向が広い場合に安定性がよく、好適な状態となり、一方、最も内側に第１嵌合部２１ｂを挿し込んだ場合には、ブック型カレンダー部３の縦方向が長い場合に安定性がよく好適な状態となる。
【００２１】
広告部２２ｂは、社名やロゴ等の宣伝・広告が表示される部分であり、これらの表示は印刷により形成される。なお、本実施形態においては、留め具２２の素材を厚紙としたが、これに限定されるものではなく、支持台２１と同様に、例えば、フィルム法合成紙やファイバー法合成紙等の樹脂系合成紙や、プラスチックシート等であってもよく、支持台２１と異なり折り畳み可能でなくてもよいことから、プラスチック板、薄い金属板のようなものであってもよい。なお、広告部２２ｂには社名やロゴ等が表示されればよいことから、広告部２２ｂを電子ペーパーや有機ＥＬディスプレイ等で構成してもよい。
【００２２】
図２には、ブック型カレンダー部３の所定の月の頁が開かれた状態の平面図が示されている。ブック型カレンダー部３は、図２に示すように、２枚一組として一月毎の暦情報が印刷された厚紙片であるカレンダー片３１の一辺３１ｄ（図２中カレンダー片の内側の辺）を、図示しない表紙及び背表紙と共に、リング状の綴じ具３２でブック状に綴じ込んだものである。
【００２３】
各カレンダー片３１には、前記一辺３１ｄに沿って、綴じ具３２を挿通させるための６つの綴じ孔３３が形成されている。また、カレンダー片３１の表面には曜日欄３１ａ及び日付欄３１ｂ等の暦情報等の所定の印刷が施されている。なお、本実施形態においては、日付欄３１ｂにスペースを設け、スケジュール等の書き込みができるような記入欄３１ｃを設けている。このようにブック型カレンダー部３を構成したことにより、開いた状態を維持し易く、また、一見してその月のスケジュールを確認できるので便利である。
【００２４】
ただし、ブック型カレンダー部３の構成はこれに限定されるものではなく、例えば、一つのカレンダー片３１の両面のそれぞれに一カ月分の暦情報を印刷してもいいし、片方の面をメモ用紙として構成してもよい。また、綴じ孔３３の個数も６つに限定されず、綴じ具３２も開閉可能な構造とし、カレンダー片３１を追加可能に構成してもよい。
【００２５】
次に図３を用いてスタンド部２の組み立て方について説明する。図３（ａ）には、留め具２２を支持台２１に取り付ける前の状態が図示されており、同図（ｂ）には留め具２２が支持台２１に取り付けられた状態のスタンド部２の斜視図が示されている。
【００２６】
まず、図１（ａ）の状態にある支持台２１を折り線部２１ｄにより二つ折にした後、各延設部２１ｃ、２１ｃ間が所定間隔離れるように支持台２１を図３（ａ）に示すような所定開度に開閉する。この状態から、留め具２１の左右の所定箇所の第２嵌合部２２ａ（本実施形態においては、左右各３カ所ある第２嵌合部２２ａのうち真ん中）に、支持台２１の第１嵌合部２２ｂを嵌合させる。すると、図２（ｂ）に示すようなスタンド部２が完成する。この状態で、図２（ｂ）に示すように広告部２２ｂは正面側に配置される。
【００２７】
次いで、図４を参照して本実施形態である卓上カレンダー１の使用の仕方について説明する。図４に示すように、図３（ｂ）に図示された状態のスタンド部２に、図２に示した状態のブック型カレンダー部３を載置する。この際に、ブック型カレンダー部３の図示しない表紙及び背表紙が傾斜部２１ａ、２１ａにもたれかかるように支持されるとともに、ブック型カレンダー部３の図４中下端が留め具２１の背面側と傾斜部２１ａ、２１ａとの間に挿入され支持される。
【００２８】
このように卓上カレンダー１を構成したことにより、卓上カレンダー１を机等に載置した状態で、その月のスケジュールが一見して把握できるとともに、ブック型カレンダー部３をスタンド部２から取り外して携帯することも可能である。また、該卓上カレンダー１に自社の社名やロゴ等の名入れをしてノベルティとして配布した会社にとっては、机上等で使用状態において社名等が隠されることなく使用者の目立つ位置に配置されることとなるので、宣伝広告効果が高い。
【００２９】
なお、卓上カレンダー１をノベルティとして配布する際には、組立前の状態として、支持台２１、留め具２２及びブック型カレンダー部３をセットにして配布するのが好適であるが、その際には、支持台２１は図１（ａ）に示すように展開した状態で配布してもよいし、予め折り線部２１ｄにより折りたたんだ状態で配布してもよい。
【００３０】
また、本実施形態においては、ブック型カレンダー部３を暦機能を主たるものとして構成しているが、ブック型カレンダー部３はこれに限定されず、例えば、携帯性を主たる機能とした暦機能を有する手帳のようなものであってもよい。
【００３１】
例えば、図４に示すブック型カレンダー部３の左側全面をメモページ、右側全面を暦ページとした手帳タイプのブック型カレンダー部の一使用例を第２実施形態として図５に示す。この場合、例えば、卓上においてカレンダーの機能としてのみ使用する場合には、メモページを開いておく必要がないので、図５に示すように、暦ページのみを開いておけばよく、これに応じて、支持台２の開閉度を狭くする必要があるが、本考案に係る卓上型カレンダーは、支持台２の開閉度を安定性よく任意に調整可能であることから、このような要請にも柔軟に対応することが可能である。
【００３２】
また、本実施形態においては、開いた状態を維持するのに好適であることから、ブック型カレンダー部３をリング状の綴じ具３２を使用したものとしたが、これに限定されるものではない。ブック型カレンダー部３の頁数が少なければ、ある程度は開いた状態を維持することは可能であるし、また、上述したとおり、ブック型カレンダー部３の下端を留め具２２の背面側と両傾斜部２１ａ、２１ａとの間に挿入させれば、ブック型カレンダー部３が閉じてしまうことを防止することができるからである。
【００３３】
また、上記実施形態においては、延設部２１ｃの形状を突起状の形状としたが、他の形態であってもよい。この他の形態の延設部を採用した卓上型カレンダーの例を第３実施形態として図６、７に示し、上記実施形態と相違する部分のみ以下に説明する。なお、ブック型カレンダー部の構成については第１実施形態あるいは第２実施形態のいずれの形態のものでも採用可能であるので、以下においては、第１実施形態のブック型カレンダー部を例にとって説明する。
【００３４】
第３実施形態の卓上型カレンダー１Ａにおいては、上記実施形態と同様の図１（ｂ）に示す留め具２２を使用するが、支持台は、図６（ａ）に示す支持台２１Ａを使用する。該支持台２１Ａは、ブック型カレンダー部３の該当頁を開いた状態で支持する左頁支持片２１０Ｌと右頁支持片２１０Ｒとを有する。
【００３５】
左頁支持片２１０Ｌは、ブック型カレンダー部３を斜めの状態で支持する傾斜部２１０ａと、傾斜部２１０ａと傾斜角を変えて延設する延設部２１０ｃとを備え、延設部２１０ｃの上部には留め具２２と嵌合する切り込みである第１嵌合部２１０ｂが３カ所に形成されている。また、支持台２１Ａは展開された状態で、全体が山形に形成されており、山の頂部から底辺に対する垂線である折り線部２１０ｄを有し、支持台２１Ａは、折り線部２１０ｄにおいて折りたたみ可能に構成されている。
【００３６】
このように構成された支持台２１Ａを採用したスタンド部２Ａの組み立て状態を示したのが図７であり、図７（ａ）が組み立てる前の状態を示す斜視図、（ｂ）が組み立てた状態の斜視図であるが、見易くするために図３とは見る角度を変えて図示している。
【００３７】
組み立て方については、第１実施形態で説明したのと同様であるが、本実施形態においては第１嵌合部２１０ｂを複数（３カ所）形成したため、上記第１及び第２実施形態と異なり、第１嵌合部２１０ｂと第２嵌合部２２ａとを嵌合した部分と、傾斜部２１０ａの下端部２１０ｅとの間に間隙を設けることができる。このように構成したことにより、ブック型カレンダー部３をスタンド部２Ａに立てかけて使用する際に、この間隙部にブック型カレンダー部３の下端部が載置されることになり、厚めのブック型カレンダー部３を使用する際には収まりがよくなる。
【００３８】
また、第１嵌合部２１０ｂも複数個所に設けることにより、支持台２Ａの開閉度を調整する際に第１嵌合部２１０ｂと第２嵌合部２２ａとの組み合わせにより開閉度の調整をすることができ、上記第１及び第２実施形態に比べて、支持台２Ａから留め具２２がはみ出すことをより防止することができる。
【符号の説明】
【００３９】
１、１Ａ      卓上型カレンダー
２、２Ａ      スタンド部
２１、２１Ａ  支持台
２１ａ、２１０ａ  傾斜部
２１ｂ、２１０ｂ  第１嵌合部
２１ｃ、２１０ｃ  延設部
２１ｄ、２１０ｄ  折り線部
２１Ｌ、２１０Ｌ  左頁支持片
２１Ｒ、２１０Ｒ  右頁支持片
２２    留め具
２２ａ  第２嵌合部
２２ｂ  広告部
３、３Ａ  ブック型カレンダー部
３１    カレンダー片
３１ａ  曜日欄
３１ｂ  日付欄
３１ｃ  記入欄
３２    綴じ具
３３    綴じ孔
【図１】
0003180049.tif 000003
【図２】
0003180049.tif 000004
【図３】
0003180049.tif 000005
【図４】
0003180049.tif 000006
【図５】
0003180049.tif 000007
【図６】
0003180049.tif 000008
【図７】
0003180049.tif 000009